(57)【要約】【課題】  フロントケース１とシャーシ２とをパッキン７を配して合接して構成される携帯機器で、フロントケース１とシャーシ２との間の防水性を高める。【解決手段】  フロントケース１とシャーシ２とを合接して構成される携帯機器において、フロントケース１とシャーシ２との一方側の合接部に、パッキン７を配し、そして、他方側の合接部に、当該合接部の合接面に対して水平方向の幅が当該パッキン７の径と比べて短い溝２ａを設けた。また、このような携帯機器において、前記合接の後に前記溝２ａの内部が負圧となるように製造される。【選択図】  図３
2005243676.tif 000002
【特許請求の範囲】
【請求項１】
フロントケースとシャーシとを合接して構成される携帯機器において、
フロントケースとシャーシとの一方側の合接部に、パッキンを配し、
他方側の合接部に、当該合接部の合接面に対して水平方向の幅が当該パッキンの径と比べて短い溝を設けた、
ことを特徴とする携帯機器。
【請求項２】
請求項１に記載の携帯機器において、
前記合接の後に前記溝の内部が負圧となるように製造された、
ことを特徴とする携帯機器。
【発明の詳細な説明】
【技術分野】
【０００１】
本発明は、フロントケースとシャーシとをパッキンを配して合接して構成される携帯機器に関し、特に、フロントケースとシャーシとの間の防水性を高めた携帯機器に関する。
【背景技術】
【０００２】
例えば、携帯無線機のハウジングの防水構造としては、円形の断面を有する環状ゴムパッキンをフロントケースとシャーシで挟み込むものがある。
図５には、このような防水構造を有した携帯無線機の横断面の構造の一例を示してある。
図６には、図５に示される携帯無線機の横断面の構造の一部（図５において右端の中央付近の部分）を拡大したものを示してある。
なお、図５及び図６では、本発明の実施例に係る図１〜図４に示される携帯無線機と概略的に同様な構成部については同一の符号により示してあるが、これによって本発明を限定する意図は全く無い。
図５及び図６に示される携帯無線機のハウジングはフロントケース１とシャーシ２１から構成されており、内部の基板４はフロントケース１のボス１ａ、１ｂ部でネジ５、６により共締めされている。また、ハウジングの背面に電池パック３が装着されている。
また、フロントケース１の周囲に形成された溝部１ｄにパッキン７が圧入されており、当該パッキン７をシャーシ２１の端面２１ａ（周囲の平面部）で押えることにより、防水性を保持する。
【０００３】
【特許文献１】特開平９−２３０７２号公報
【特許文献２】特開平１０−４４４５号公報
【特許文献３】特開平１０−１０７４５４号公報
【発明の開示】
【発明が解決しようとする課題】
【０００４】
しかしながら、図５及び図６に示されるような構造を有した携帯無線機では、ハウジングをネジ５、６（例えば、３箇所）で締め付ける際に、フロントケース１とシャーシ２１の両者に歪が生じて、パッキン７を押す力がネジ５、６に近接した部位では強くなる一方でネジ５、６から遠い部位では弱くなり、当該パッキン７の全周を均一な力で押えることができないため、安定した防水性能を得ることができないといった不具合があった。
本発明は、このような従来の課題を解決するために為されたもので、フロントケースとシャーシとをパッキンを配して合接して構成される構造において、フロントケースとシャーシとの間の防水性を高めることができる携帯機器を提供することを目的とする。
【課題を解決するための手段】
【０００５】
上記目的を達成するため、本発明に係る携帯機器では、フロントケースとシャーシとを合接して構成される構造において、次のような構造とした。
すなわち、フロントケースとシャーシとの一方側の合接部に、パッキンを配し、そして、他方側の合接部に、当該合接部の合接面に対して水平方向の幅が当該パッキンの径と比べて短い溝を設けた。
従って、当該溝の２箇所の稜の線で当該溝と当該パッキンとが接触することにより、例えば従来のように１箇所の広い面でパッキンを押さえていたような場合と比べて、接触圧力を向上させることができ、ハウジングの防水性を高めることができる。
また、一構成例として、前記溝は、パッキンと接触する端（例えば、凹部の切り口の内側の端）に傾斜（例えば、テーパ）が設けられた形状を有する。これにより、当該溝とパッキンとが２箇所の面で接触することとなり、ハウジングの防水性を更に向上させることができる。
【０００６】
ここで、フロントケースや、シャーシなどの部材としては、種々なものが用いられてもよい。
また、フロントケースとシャーシとは、例えば、ネジなどにより、合接される。
また、例えば、フロントケースの合接部にパッキンが配されて、シャーシの合接部に前記溝が設けられる構造が用いられてもよく、或いは、シャーシの合接部にパッキンが配されて、フロントケースの合接部に前記溝が設けられる構造が用いられてもよい。なお、フロントケースとシャーシとの合接部とは、例えば、フロントケースとシャーシとが合接するときに互いに接触する部分（例えば、平面部分）である。
また、フロントケースとシャーシとの合接部の合接面に対して水平方向の幅がパッキンの径と比べて短い溝としては、種々な溝が用いられてもよく、例えば、本発明の一実施例に係る図３及び図４に示されるパッキン７に対するシャーシ２の細い溝（溝部２ａ）のようなものが用いられ、一例として、パッキンが溝の内部に完全には入らない程度に当該溝が細く、接触圧力が大きく得られる程度の幅を有するような溝が用いられる。
【０００７】
本発明に係る携帯機器では、一構成例として、前記合接の後に前記溝の内部が負圧となるように製造される。
従って、フロントケースとシャーシとが合接された後に前記溝の内部が負圧となることにより、当該溝を有する部材（フロントケース又はシャーシ）とパッキンとの密着性を高めることができ、ハウジングの防水性を更に向上させることができる。
ここで、このような構造を実現するための工程としては、種々な工程が用いられてもよく、一例として、前記溝の内部の空気が所定の外気と比べて高温にされた状態で組み立てて、当該組み立て後には、前記溝の内部の閉じ込められた空気が所定の外気と同じ温度になり、前記溝の内部が負圧となるような工程を用いることができる。
【発明の効果】
【０００８】
以上説明したように、本発明に係る携帯機器によると、フロントケースとシャーシとを合接して構成される構造において、フロントケースとシャーシとの一方側の合接部に、パッキンを配し、そして、他方側の合接部に、当該合接部の合接面に対して水平方向の幅が当該パッキンの径と比べて短い溝を設けたため、当該溝の部分と当該パッキンとの接触圧力を向上させることができ、フロントケースとシャーシとの間の防水性を高めることができ、ハウジングの防水性を高めることができる。
【発明を実施するための最良の形態】
【０００９】
本発明に係る一実施例を図面を参照して説明する。
図１〜図４には、本発明の一実施例に係る携帯無線機の構造の一例を示してある。
図１は、本例の携帯無線機の斜視図である。図２は、本例の携帯無線機の正面図である。図３は、本例の携帯無線機の横断面図である。図４には、図３に示される本例の携帯無線機の横断面の構造の一部（図３において右端の中央付近の部分）を拡大したものを示してある。
図１などに示されるように、本例の携帯無線機のハウジングは、フロントケース１とシャーシ２とを合接して構成されている。ハウジングの背面（シャーシ２の側）には、電池パック３が着脱可能に装着される。ハウジングの正面（フロントケース１の側）には、本例では３個のボタン１２、１３、１４と、画面１５などが設けられている。また、ハウジングの上部（図１において上の部分）には、アンテナ１１が設けられている。
図２などに示されるように、本例の携帯無線機のハウジングでは、フロントケース１とシャーシ２とが数箇所（本例では、３箇所）のボス１ａ、１ｂ、１ｃにおいてネジ５、６（もう１個のネジについては図示を省略）により締め付けられている。
【００１０】
図３及び図４などに示されるように、本例の携帯無線機のハウジングでは、フロントケース１とシャーシ２との間の内部に基板４が設けられている。当該基板４は、フロントケース１に形成された３箇所のボス１ａ、１ｂ、１ｃ部のそれぞれにおいてネジ５、６により共締めされている。
また、フロントケース１には、シャーシ２に対する環状の合接面（当たり面）上に、全周囲にわたって、溝の部分（溝部）１ｄが形成されている。当該溝部ｄには、当該溝部１ｄの形状に対応した環状のゴム性のパッキン７が圧入されている。
また、シャーシ２には、パッキン７の当り面の全周に、細い溝の部分（溝部）２ａが形成されている。ここで、図４に示されるように、当該溝部２ａ及びパッキン７の幅方向（図２、３、４において左右の方向）について、当該溝部２ａの幅（長さ）は当該パッキン７の径（長さ）と比べて短くなっており、また、本例では、当該溝部２ａの幅の中心位置と当該パッキン７の径の中心位置とが一致するように、当該溝部２ａと当該パッキン７とが接触させられる。
【００１１】
このように、本例の携帯無線機では、シャーシ２側のパッキン７当り面の全周に、当該パッキン７の径より細い溝部２ａを設けてある。
このような構成では、シャーシ２に形成された溝部２ａに対してフロントケース１に配されるパッキン７がはみ出すこととなり、当該溝部２ａの２箇所の稜２ｂ、２ｃのところでパッキン７を圧接することとなる。そして、パッキン７をシャーシ２の２箇所の稜２ｂ、２ｃで押えることにより、高い防水性を保持することができる。例えば、図５及び図６に示されるように従来ではシャーシ２１の端面２１ａの広い面の１箇所でパッキン７を押えていたのに対して、本例では、図４に示されるように、シャーシ２の溝部２ａの稜２ｂ、２ｃの線の２箇所でパッキン７に当てることができ、接触圧力を上げることが可能である。
【００１２】
また、更に、シャーシ２に形成される溝部２ａの凹部のエッジにテーパを付けた構成とすることも可能である。このような構成では、図４に示されるシャーシ２の溝部２ａの２箇所の稜２ｂ、２ｃの代わりに２箇所の面が形成されるため、当該溝部２ａとパッキン７とを２面で接触させて、更に高い防水性を保持することが可能である。
また、本例の携帯無線機の組み立ての工程において、シャーシ２を加熱して暖めるなどして、シャーシ２の溝部２ａの内部の気温を高温に保持した状態でシャーシ２とフロントケース１及びパッキン７を組み付けると、当該溝部２ａの内部の気温が常温へ戻った際に、当該溝部２ａの内部に負圧を生じさせることができ、これにより、均一な力でパッキン７をシャーシ２へ密着させることができる。
【００１３】
なお、以上では、携帯無線機のフロントケース１側の溝部１ｄにパッキン７を配して、シャーシ２側に細い溝部２ａを設けた構成例を示したが、例えば、これとは逆に、携帯無線機のシャーシ２側の溝部（例えば、溝部１ｄと同様なもの）にパッキン７を配して、フロントケース１側に細い溝部（例えば、溝部２ａと同様なもの）を設けた構成を実施することも可能であり、同様な効果を得ることができる。
また、本例では、ゴム性のパッキン７を使用した場合を示したが、種々なパッキンが使用されてもよく、例えば、熱可塑性、弾性、樹脂製などの特徴を有するパッキンを使用することが可能である。
また、本発明は、種々な機器に適用することが可能であり、例えば、携帯電話端末やＰＨＳ（Personal Handy phone System）端末やＰＤＡ（Personal Digital Assistant）端末などの携帯端末、リモコン端末、パーソナルコンピュータ（ＰＣ）、電卓などの種々な通信機器或いは電子機器などに適用することができる。
【００１４】
以上のように、本例の携帯無線機では、シャーシ２又はフロントケース１の周囲の溝（本例では、溝部１ｄ）に圧入された環状ゴムパッキン７を、反対側の部材（当該フロントケース１又は当該シャーシ２）の周囲で圧接する防水構造において、当該反対側の部材の周囲のゴムパッキン圧接面に細い溝（本例では、溝部２ａ）を設けた。つまり、シャーシ２又はフロントケース１の合接部分の一方側にゴムパッキン７を配し、もう一方側に当該ゴムパッキン７の径より細い溝（本例では、溝部２ａ）を設けた。
具体的な一例に係るハウジングの防水構造では、ハウジングがフロントケース１とシャーシ２から成り、フロントケース１の周囲の溝１ｄに圧入された環状ゴムパッキン７をシャーシ２の周囲で圧接することにより両者１、２間の防水性を確保する構造において、シャーシ２側の周囲のゴムパッキン圧接面にゴムパッキン７の径より細い溝２ａを設けた構成を実施することができる。
具体的な他の一例に係るハウジングの防水構造では、ハウジングがフロントケース１とシャーシ２から成り、シャーシ２の周囲の溝（例えば、本例の溝１ｄと同様なもの）に圧入された環状ゴムパッキン７をフロントケース１の周囲で圧接することにより両者１、２間の防水性を確保する構造において、フロントケース１側の周囲のゴムパッキン圧接面に溝（例えば、本例の溝２ａと同様なもの）を設けた構成を実施することができる。
従って、本例の携帯無線機では、シャーシ２又はフロントケース１の溝（例えば、本例の溝２ａと同様なもの）の稜線２箇所でパッキン７に当てることができ、接触圧力を上げるとともに接触の信頼性を向上させることが可能となり、高い防水性を確保することができる。
また、本例の携帯無線機では、更に、シャーシ２又はフロントケース１の溝（例えば、本例の溝２ａと同様なもの）の稜線２箇所について、凹部のエッジにテーパを付けたものとすることにより、当該溝の２面でパッキン７と接触させることが可能であり、好ましい。
【００１５】
また、本例の携帯無線機では、フロントケース１とシャーシ２とを合接する際に、高温環境下の状態で、又は、当該フロントケース１と当該シャーシ２との一方或いは両方を加熱した状態で、パッキン７を配し、そして、当該合接後に、全体を常温とし或いは加熱した部分を常温とすることなどにより、前記溝（例えば、本例の溝２ａと同様なもの）の内部に負圧を生じさせて、当該パッキン７が密着される構造を実現することができる。
具体的な一例に係るハウジングの防水構造では、シャーシ２側を加熱して暖めて、当該シャーシ２側の溝２ａの内部の空気の温度を高温に保持した状態で組み付けることにより、常温に戻った際における当該溝の内部に、パッキン７を密着させる方向に負圧を生じさせることができ、均一な力でパッキン７をシャーシ２ヘ密着させることができる。
従って、本例の携帯無線機では、高温下での組み立て及び細い溝（例えば、本例の溝２ａと同様なもの）の内部の空気の温度の低下を利用して当該溝の内部に負圧を発生させる工程により、当該溝が設けられる部材（本例では、シャーシ２又はフロントケース１）とパッキン７との負圧密着を実現することができ、安定したハウジングの防水構造を得ることができ、安定した防水品質を確保することできる。
【００１６】
ここで、本発明に係る携帯機器や携帯機器の防水構造や携帯機器の製造工程などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。例えば、本発明に係る技術思想は、必ずしも携帯可能な機器（携帯機器）ばかりでなく、任意の機器に適用することも可能である。
【図面の簡単な説明】
【００１７】
【図１】本発明の一実施例に係る携帯無線機の構成例を示す斜視図である。
【図２】本発明の一実施例に係る携帯無線機の構成例を示す正面図である。
【図３】本発明の一実施例に係る携帯無線機の構成例を示す横断面図である。
【図４】本発明の一実施例に係る携帯無線機の構成例を示す横断面の部分拡大図である。
【図５】携帯無線機の構成例を示す横断面図である。
【図６】携帯無線機の構成例を示す横断面の部分拡大図である。
【符号の説明】
【００１８】
１・・フロントケース、  １ａ、１ｂ、１ｃ・・ボス、  １ｄ、２ａ、２ｂ・・溝部、  ２、２１・・シャーシ、  ２ｃ、２ｄ・・稜、  ３・・電池パック、  ４・・基板、  ５、６・・ネジ、  ７・・パッキン、  １１・・アンテナ、  １２〜１４・・ボタン、  １５・・画面、  ２１ａ・・端面、
【図１】
2005243676.tif 000003
【図２】
2005243676.tif 000004
【図３】
2005243676.tif 000005
【図４】
2005243676.tif 000006
【図５】
2005243676.tif 000007
【図６】
2005243676.tif 000008